(57)【要約】【課題】  支柱を階段の任意の踏板に取付けできると共に必要に応じて後付けができる手摺付き階段を提供する。【解決手段】  本発明の手摺付き階段１は、踏板７と、支柱２１と、手摺２３とを備え、支柱２１は下端２１ａを任意の一の踏板７ｍの上面７ａに固定してあり、上端２１ａと下端２１ｂとの間に位置する中間部２１ｃを一の踏板７ｍの上隣に位置する他の踏板７ｎに固定してあり、手摺２３は各支柱２１の上端２１ｂ間に架設してある。【選択図】      図１
2006265937.tif 000002
【特許請求の範囲】
【請求項１】
踏板と、支柱と、手摺とを備え、支柱は下端を任意の一の踏板の上面に固定してあり、上端と下端との間に位置する中間部を一の踏板の上隣に位置する他の踏板に固定してあり、手摺は各支柱の上端間に架設してあることを特徴とする手摺付き階段。
【発明の詳細な説明】
【技術分野】
【０００１】
本発明は、手摺付き階段に関する。
【背景技術】
【０００２】
特許文献１には、支柱を一の踏板と一の踏板の上隣に位置する他の踏板に固定して支柱間に手摺を架設した構造が開示されている。
【０００３】
【特許文献１】特開平１−１４６０５２号公報
【発明の開示】
【発明が解決しようとする課題】
【０００４】
しかし、特許文献１の手摺付き階段では、支柱が踏板を支持する構成になっているので、支柱は各踏板に設けることに限られると共に階段の左右両側に手摺を設けることに限られており、階段の片側にだけ手摺を設けたり、必要に応じて手摺を後付けすることができないという問題がある。
【０００５】
そこで、本発明は、支柱を階段の任意の踏板に取付けできると共に必要に応じて後付けができる手摺付き階段の提供を目的とする。
【課題を解決するための手段】
【０００６】
請求項１に記載の発明は、踏板と、支柱と、手摺とを備え、支柱は下端を任意の一の踏板の上面に固定してあり、上端と下端との間に位置する中間部を一の踏板の上隣に位置する他の踏板に固定してあり、手摺は各支柱の上端間に架設してあることを特徴とする。
【発明の効果】
【０００７】
請求項１に記載の発明によれば、支柱は、任意の一の踏板と一の踏み板の上隣に位置する他の踏板とに固定してあるから、支柱は任意の踏板に立設できると共に階段の片側や両側にも取付けでき、且つ必要に応じて後付けができる。
また、支柱は一の踏み板の上面に固定するから、踏板から食み出さないので外観が良い。
支柱は一の踏板と上隣の他の踏み板との上下２箇所で固定するから安定に固定でき、支柱間に補強材を架設しなくても済むので、部品点数を少なくできると共に施工が簡易である。
【０００８】
以下に、添付図面を参照して本発明の実施の形態を説明する。図１（ａ）は本実施の形態にかかる手摺付き階段の側面図であり、図１（ｂ）は図１（ａ）のＣ部を拡大して示す図であり、図２は本実施の形態にかかる手摺付き階段の図であり、図２（ａ）は図１（ａ）の手摺付き階段をＡ―Ａ位置で切断して示す断面図であり、図２（ｂ）は図２（ａ）のＢ―Ｂ断面図であり、図３（ａ）は図１（ａ）のＥ部を拡大して示す側面図であり、図３（ｂ）は図３（ａ）のＦ―Ｆ断面図である。尚、図１（ｂ）において一点鎖線で抜き出して示すのは、支柱３の横断面図であり、図２（ａ）で一点鎖線で抜き出して示すのは、拡大図である。
本実施の形態にかかる手摺付き階段１は、踏板７と支柱２１と手摺２３を備えており、踏み板７は桁３、３の各上面３ａに取付けステップ受け５の上端に固定してある。
図２に示すように、各桁３は四角筒状の中空材であり、上面３ａに２条の突条９、９が各々桁３の長手方向に設けてあると共に、２条の突条９、９は間隔を開けて設けてある。２条の突条９、９と突条９、９間の桁の上面３ａで嵌合溝１１を形成している。
各突条９は縦断面が略コ字状を成しており、嵌合溝１１と反対側の側面（外側面）が開口した溝状になっている。突条９の開口９ａは、長手方向に亘って目板１２を嵌めて塞がれている。
ステップ受け５は、少なくとも上端５ａが開口する空間１４を内部に有しており、本実施の形態では、正面から見た形状が略コ字状を成すようにして押出形材で作られている。ステップ受け５の上端５ａは任意の角度に切断自在である。本実施の形態では、ステップ受け５の上端５ａは角度Ｓ（図２（ｂ）参照）で切断してあり、上端５ａを略水平にしている。
ステップ受け５の下端部５ｃは嵌合溝１１に嵌合しており、側面５ｂを突条９に固着具８で固定してある。固着具８はねじである。固着具８の頭は突条９の溝内に配置されており、固着具８の頭は目板１２により外から見えないように隠している。
踏板７は、下面７ｂに嵌合具１３を取付けてあり、嵌合具１３はステップ受け５の上端から内部空間１４に嵌合して、ステップ受け５の側面に固着具１７で固定してある。本実施の形態では、固着具１７はねじである。
図１に示すように、支柱２１は、下端２１ａを一の踏板７ｍの上面７ａに固定してあり、下端２１ａと上端２１ｂとの間の中間部２１ｃを一の踏板７ｍの上隣に位置する他の踏板７ｎに固定してある。支柱２１は本実施の形態では、水平断面が略矩形で中空形状になっており、下端２１ａには縦断面略Ｌ字形状を成す下端固定具２５が支柱２１の中空内に設けてある。下端固定具２５の下部２５ａを一の踏板７ｍの上面７ａにねじ固定してあり、下端固定具２５の上部２５ｂは階段１の裏側から支柱２１にねじ固定してある。
支柱の中間部２１ｃは中間固定具２９により一の踏板７ｍの上隣に位置する他の踏板７ｎに固定してある。中間固定具２９は縦断面略Ｌ字状を成しており、一側部２９ａを支柱２１の裏側面にねじ固定してあり、他側部２９ｂを踏板７ｎの前端部下面にねじ固定してある。
手摺２３は、各支柱２１の上端にねじで固定してあり、支柱２１、２１間に架設してある。
また、本実施の形態では、支柱２１、２１間の側面にはパネル３１が取付けてある。
【０００９】
次に、本実施の形態にかかる手摺付き階段１の施工、作用効果について説明する。
手摺付き階段の施工は、桁３、３を所定の角度にして、床２０と階上の躯体２２とに固定した後、ステップ受け５の下端部５ｃを桁３の嵌合溝１１に嵌めて固着具８により突条９に固定する。尚、ステップ受け５の上端５ａは桁３の傾斜角度に応じて所定角度Ｓで予め切断しておく。
次に、踏板７の下面７ｂに嵌合具１３取付け、嵌合具１３をステップ受け５の上端から内部空間１４内に嵌合して、ステップ受け５の両側面５ｂ、５ｂに固着具１７で固定する。
尚、桁３の傾斜角度Ｓが異なる階段を施工する場合には、同種のステップ受け５を用いて、ステップ受け５を桁３に固定したときに上端５ａが水平になるように上端５ａを所定の角度に切断して用いる。
支柱２１の立設は、任意の一の踏板７ｍの上面に下端固定具２５の下部をねじ固定し、支柱２１の下端２１ａから支柱２１の中空内に下端固定具２５を嵌め入れた後、支柱２１の裏側から下端固定具２５の上部２５ｂに支柱２１をねじで固定する。次に、一の踏板７ｍの上隣に位置する他の踏板７ｎの前端下面と支柱２１の中間部２１ｃとに中間固定具２９を配置して、中間固定具２９の一側部２９ａを支柱２１の裏面にねじ固定し、他側部２９ｂを踏板７ｎの前端下面にねじ固定する。
図３に示すように、手摺２３は支柱２１の上端に上方から基板２３ａをねじ固定した後、基板２３ａに本体２３ｂをねじ固定して取付ける（図３参照）。
【００１０】
本実施の形態によれば、支柱２１は、任意の一の踏板７ｍと一の踏み板の上隣に位置する他の踏板７ｎとに固定してあるから、支柱２１は任意の踏板に立設できると共に階段１の片側や両側にも任意に取付けでき、且つ必要に応じて後付けができる。
また、支柱２１は一の踏み板の上面７ｍに固定するから、踏板７の外に食み出さず外観が良い。
支柱２１は一の踏板７ｍと上隣の他の踏み板７ｎとの上下２箇所で固定するから安定に固定でき、支柱２１、２１間に補強材を架設しなくて済むので、部品点数を少なくできると共に施工が簡易である。
支柱２１の下端固定具２５を中空内に収めているので、下端固定具２５が外から見えず外観が良い。
中間固定具２９は支柱２１の裏側と踏板７ｎの下面とに固定しており、階段１の正面から見えないので外観が良い。
ステップ受け５は上端５ａが所定の角度に切断自在であるから、桁３の傾斜角度が異なる場合にも、同種のステップ受け５を用いて手摺付き階段１を施工することができる。
ステップ受け５は、桁３の嵌合溝１１に嵌めて、固着具８により突条９に固定するので、位置決めした後にそのまま突条９に固定でき、ステップ受け５の固定が容易にできる。
踏板７は、下面７ｂに取付けた嵌合具１３をステップ受け５の内部空間１４内に上端から嵌合してステップ受け５の側壁５ｂに固着具１７で固定するので、固定が容易にできる。
突条９の側面にある開口を目板１２により塞がれているので、ステップ受けを突条９に固定している固着具８が外側から見えず、外観が良い。
【００１１】
本発明は、上述した実施の形態に限らず、本発明の要旨を逸脱しない範囲で種々変形可能である。
例えば、支柱２１は下端固定具２５や中間固定具２９を用いずに直接ねじ等で固定するものであっても良い。
支柱２１と手摺２３は階段の両側にそれぞれ設けるものであっても良い。
支柱２１は中空でなくても良い。
ステップ受け５は下端５ｃを任意の角度に切断自在とするものであっても良い。
手摺付き階段１は屋内に施工するものであっても、屋外に施工するものであっても良い。
【図面の簡単な説明】
【００１２】
【図１】図１（ａ）は本実施の形態にかかる手摺付き階段の側面図であり、図１（ｂ）は図１（ａ）のＣ部を拡大して示す図である。
【図２】本実施の形態にかかる手摺付き階段の図であり、図２（ａ）は図１（ａ）の手摺付き階段をＡ―Ａ位置で切断して示す断面図であり、図２（ｂ）は図２（ａ）のＢ―Ｂ断面図である。
【図３】図３（ａ）は図１（ａ）のＥ部を拡大して示す側面図であり、図３（ｂ）は図３（ａ）のＦ―Ｆ断面図である。
【符号の説明】
【００１３】
１      手摺付き階段
３      桁
５      ステップ受け
７      踏板
７ａ    上面
７ｍ    一の踏板
７ｎ    他の踏板
２１    支柱
２１ａ  下端
２１ｂ  上端
２１ｃ  中間部
２３    手摺
【図１】
2006265937.tif 000003
【図２】
2006265937.tif 000004
【図３】
2006265937.tif 000005